(57)【要約】【課題】使用中に、ゆるんだりほぐれたりしない、紐の終端のアセンブリーを提供する。【解決手段】本発明は、雄型終端コネクタと雌型終端コネクタを有する、紐の終端のアセンブリーを開示する。紐の終端のアセンブリーは、コネクタを接続させるために、他のコネクタ内の他の磁石と相互作用する、一方のコネクタ内に一体化された磁石を用いている。雄型終端コネクタは、ウェイクボードのビンディングに見られるような、一対の紐の結び合わされた終端を、保持するように構成されている。雌型終端コネクタは、ウェイクボードのビンディングに搭載されている。雄型終端コネクタは、第１の磁石を内蔵する突部を含んでいる。雌型終端コネクタは、第２の磁石を内蔵する、胴部を含んでいる。雌型終端コネクタはまた、キャビティを含んでいる。キャビティは、磁石が整列して、磁気的に連結できるようにするために、雄型終端コネクタを受け入れ、それにより紐の終端をビンディングに固定する。【選択図】図５
2007007404.tif 000002
【特許請求の範囲】
【請求項１】
ビンディングの、ゆるんだ紐の終端を固定する、紐の終端のアセンブリーであって、
一対の紐の終端を保持する手段を有する、雄型終端コネクタを含み、前記雄型終端コネクタは突部を有し、前記突部が第１の磁石を含み、
第２の磁石を内部に有する、胴部を有する雌型終端コネクタを含み、前記胴部が第２のキャビティを形成し、前記第２のキャビティが、前記第１と第２の磁石の間の相互作用の結果としての、磁気的な保持のために、前記雄型終端コネクタの前記突部を受けるように構成され、前記雌型終端コネクタが、前記ビンディングに搭載されるように構成されている、紐の終端のアセンブリー。
【請求項２】
前記ビンディングが、靴、ウェイクボードのビンディング等、または保持の目的のために紐を用いる、他の任意の物品を含む、請求項１に記載のアセンブリー。
【請求項３】
前記保持手段が、結び合わされた終端を保持する大きさの、第１のキャビティを有する雄型終端体をさらに含み、前記第１のキャビティが、前記一対の紐が通過できる開口を含む、請求項１に記載のアセンブリー。
【請求項４】
前記第１のキャビティが、前記雄型終端体の下面に形成されている、請求項１に記載のアセンブリー。
【請求項５】
前記雌型終端コネクタが、前記胴部から延伸し、かつ前記雌型および雄型の終端コネクタが連結された場合に、前記雄型終端コネクタの周囲の一部を取り囲む大きさにされた、Ｕ字型の延長部を含んでいる、請求項１に記載のアセンブリー。
【請求項６】
前記雌型終端コネクタが前記ビンディングの一部に搭載されている、請求項１に記載の紐の終端のアセンブリーを含む、ビンディング。
【請求項７】
前記ビンディングが、ウェイクボードのビンディングである、請求項６に記載の足用のビンディング。
【請求項８】
前記雄型および雌型の終端がモールドされており、前記第１および第２の磁石が前記雄型および雌型の終端コネクタ内に、それぞれオーバーモールドされている、請求項１に記載のアセンブリー。
【請求項９】
ビンディングに紐を固定する方法であって、
一対の紐を、紐の終端のアセンブリーの雄型終端コネクタに固定するステップを含み、
前記雄型終端コネクタを、前記紐の終端を適所に保持するためのビンディングに搭載された、雌型終端コネクタに磁気的に連結するステップとを含む、方法。
【請求項１０】
前記固定するステップおよび磁気的に連結するステップのために、請求項１に記載の紐の終端のアセンブリーを使用するステップをさらに含む、請求項９に記載の方法。
【請求項１１】
前記紐の終端が結び合わされ、かつ前記結び合わせが前記雄型コネクタにより保持されている、請求項９に記載の方法。
【発明の詳細な説明】
【技術分野】
【０００１】
本出願は、２００５年６月２７日付で出願された、特許仮出願第６０／６９３，７９３号に基づく、優先権を主張する。本出願は、特許仮出願第６０／６９３，７９３号の全部を、参照により引用する。
本発明は紐の終端に関する。本発明は特に、磁石を使用して紐を固定する、紐の終端の接続に関する。
【背景技術】
【０００２】
紐は、多様な道具に使用されている。紐は、物品を保持し固定するための、軽く安価な援助を提供することができる。最も顕著なことは、紐は互いに結び合わされて、靴を人の足に保持することである。ユーザーは、軽量で丈夫な紐を必要としている。
【０００３】
紐の一つの欠点は、時間の経過、使用および露出により、ほどけてしまうことである。ほぐれた紐は、紐を固定したり、または互いに結び合わせたりすることを、極めて難しくする。結局、新しい紐を買ったり、古い紐を何とか修理しなければならない。さらに紐は、物理的な動作の間に、巻き込まれたり、結び合わせが解けたりしがちである。これらの短所を防止するために、いくつかの現在の紐の終端のデザインは、ビンディングに紐がつなぎ止められる、プラスチックのクリップを有している。しかしながらクリップも、使用中に外れがちであり、従って問題を引き起こす。
【発明の開示】
【０００４】
このようにして、既知の紐の終端の接続に対して新規でありかつ自明でない、以上に議論した問題や欠点を解決する、紐の終端の接続が開示される。開示される実施形態に従えば、足用のビンディングの、ゆるんだ終端を固定する、紐の終端のアセンブリーが開示される。この紐の終端のアセンブリーは、一対の紐の結び合わされた終端を保持する手段を有する、雄型終端コネクタを含んでいる。この雄型終端コネクタは突部を有する。この突部は、第１の磁石を含んでいる。紐の終端のアセンブリーは、第２の磁石を内部に有する、胴部を有する雌型終端コネクタを含んでいる。この胴部は、第２のキャビティを形成する。この第２のキャビティは、第１と第２の磁石の間の相互作用の結果としての、磁気的な保持のために、雄型終端コネクタの突部を受けるように構成されている。雌型の終端は、足用のビンディングに搭載されるように構成されている。
【０００５】
本発明はまた、紐を足用のビンディングに固定するための方法を、伴っている。この方法は、紐の終端のアセンブリーの、雄型終端コネクタの穴を通して、一対の紐を通過させることを含んでいる。この方法はまた、一対の紐の終端を結び合わすことを含んでいる。雄型終端コネクタは、この結び合わせを保持するための、キャビティを有している。この方法はまた、雄型終端コネクタを、結び合わされた紐の終端を適所に保持するための、足用のビンディングに搭載された、雌型終端コネクタに磁気的に連結することを含んでいる。
【０００６】
雄型および雌型の部品があれば、紐の終端の接続は、使用中にゆるんだり、別れたりすることがない。雄型終端コネクタは、穴と、紐を受け入れるキャビティとを含んでいる。雄型終端コネクタはまた、穴の内部に結び合わされた紐を保持するための、スペースを提供している。雄型終端コネクタはまた、オーバーモールドされた磁石を含んでいる。
【０００７】
雌型終端コネクタは、紐の終端のアセンブリーをある製品に固定するために、任意の物品に縫い合わせられている。雌型終端コネクタは同様に、磁石を含んでいる。雌型終端コネクタは、雄型終端コネクタを受け入れるように構成されている。二つの磁石は、紐が使用中にゆるんだり、ほぐれたりしないように、二つのコネクタを互いに保持する。
【発明を実施するための最良の形態】
【０００８】
本発明をよりよく理解するために添付され、明細書の一部を構成するために組み込まれている添付の図面は、本発明の実施形態を図示する。詳細な説明と共に、以下に示される図面は、本発明の原理を説明して開示するために、使用される。
【０００９】
以下では、本発明の実施形態について、詳細に説明される。実施形態の例は、添付の図面に示されている。
【００１０】
図１は、開示された実施形態に従う、紐の終端のアセンブリーの雄型終端コネクタ１０６を示す。雄型終端コネクタ１０６は、軽量でかつ耐久性のある、プラスチックまたは他の材料で作られている。雄型終端コネクタ１０６は、以下にその詳細が開示される、紐の終端のアセンブリーの雌型終端コネクタに、コネクタ１０６が取り付けられるようにする、いくつかの部品に分割されている。
【００１１】
紐１０２および１０４は、雄型終端コネクタ１０６に取り囲まれる、終端を有している。紐１０２および１０４は、ナイロン、綿等のような、紐を作るために使用される、既知の材料で構成されてよい。紐１０２および１０４は、雄型終端コネクタから延伸して、一本の紐として互いにつながっても良いし、または別れたままであってもよい。紐１０２および１０４はまた、互いに結ばれていても良い。構成と組成に関わらず、紐１０２および１０４は、なにかを縛り付けるために、または何かを保持するために、使用されている。紐１０２および１０４はまた、靴を結び合わせるのにも用いられる。
【００１２】
本発明は、紐の終端１０２および１０４の固定を可能にする。例えば紐１０２および１０４は、ウェイクボードで使用するための靴として動作する、ウェイクボードビンディングの一部であってもよい。飛び回わったりまたは道具上に縛り付けられているボーダーには、ゆるんだ紐の終端は、安全への脅威として、不快で恐怖させるものとなる。紐を固定するアセンブリーは、使用中に紐の終端がゆるんだり解けたりすることがないようにする。しかしながら本発明は、ウェイクボードのビンディングに限定されることはなく、靴、スノーボードのブーツ、コンバットブーツ、スニーカー、アスレチックシューズ等の、紐を使用しているような、紐の終端が固定される必要のあるところでの、任意の用途に適用可能である。このようにして本発明では、ビンディングとは、紐を使用して、紐の終端が固定される必要のある、全ての物品を含む。
【００１３】
雄型終端コネクタ１０６は、突部１０７と、上部１１０を含んでいる。突部１０７は、紐１０２および１０４とは反対側の、雄型終端コネクタ１０６の終端に位置している。突部１０７は、以下に開示される、雌型終端コネクタの適宜の部分に挿入される、平らな形状を有している。雄型終端コネクタの他の部分と比較した場合には、この突部１０７の高さはより小さいものである。突部１０７はまた、磁石１０８を含んでいる。
【００１４】
突部１０７は、うね部１１４に入る、斜面１１６につながっている。斜面１１６およびうね部１１４はまた、雄型終端コネクタ１０６を、雌型終端コネクタ内に固定することを援助する。上部１１０は、斜面１１２を経由して、うね部１１４につながっている。上部１１０は、雄型終端コネクタ１０６の最も上の部分である。上部１１０は好ましくは、紐の終端１０２および１０４を充分に内蔵する、大きさである。上部１１０はまた、以下に開示されるように、雌型終端コネクタと接続して配置されない、雄型終端コネクタ１０６の一部である。
【００１５】
図２は、開示された実施形態に従う、図１の雄型終端コネクタ１０６の底面図を示す。雄型終端コネクタ１０６は、上記に開示された全ての部分の他に、キャビティ２０６を含んでいる。キャビティ２０６は、上部１１０内にはめ合わされ、紐１０２および１０４の結ばれた終端２０２を保持する、大きさに形成されている。キャビティ２０６はまた、開口２０４を含んでいる。開口２０４は好ましくは、結ばれた終端２０２が充分にはめ合わされる大きさの、直径を有する円形状である。開口２０４は、結ばれた終端２０２に充分にアクセス可能である、大きさでなければならない。雄型終端コネクタ１０６内部の開口２０５は、紐１０２および１０４がキャビティ２０６に入れるようにする。開口２０５は、結ばれた終端２０２を充分に収容可能である、大きさでなければならない。
【００１６】
突部１０７は、以上に開示したように、磁石１０８を含んでいる。このように雄型終端コネクタ１０６は、雌型終端コネクタとの接続を容易にする磁石１０８と、紐の終端２０２を含むキャビティ２０６を含んでいる。
【００１７】
図３は、開示された実施形態に従う、紐の終端のアセンブリーの、雌型終端コネクタ３００を示している。雌型終端コネクタ３００は、雄型終端コネクタ１０６が固定されるべき、靴、衣服またはその他の物品に取り付けられる、アセンブリー１００の一部である。雌型終端コネクタ３００は、任意の既知の手段で、ビンディングに取り付けられてもよい。例えば、雌型終端コネクタ３００は接着を用いて織物に取り付けられ、次にその織物がビンディングに縫いつけられてもよい。
【００１８】
雌型終端コネクタ３００は、一方の側沿いの開口３０２を含んでいる。好ましくは開口３０２は、突部１０７の反対側である、雄型終端コネクタ１０６の幅広の側とはめ合わされるために、雌型終端コネクタ３００の最も幅が広い側沿いにある。開口３０２は、雌型終端コネクタ３００の底の穴としての役割を果たす。開口３０２および雌型終端コネクタ３００は、このコネクタを取り囲む、ベース３０４により定義されている。ベース３０４は、物品に取り付けられる雌型終端コネクタ３００の境界を表わす。
【００１９】
斜面３０８は、ベース３０４から上部３０６へ、雌型終端コネクタ３００をテーパーで昇っている。斜面３０８は、図１に示される雄型終端コネクタ１０６の、突部１０７および斜面１１６を受容するために、緩やかな勾配であってもよい。上部３０６は、雌型終端コネクタ３００の頂部を表わしている。上部３０６はまた、磁石３１０を内蔵している。磁石３１０は、雄型終端コネクタ１０６内部の磁石１０８と対応している。磁石３１０の極性または構成は、磁石１０８が磁石３１０の磁力により引きつけられるようにされている。
【００２０】
磁石１０８と磁石３１０が一度整列されると、雄型終端コネクタ１０６と雌型終端コネクタ３００を固定するために、互いに結合する。このように、雄型終端コネクタ１０６を雌型終端コネクタ３００と結合させるために、突部１０７が雌型終端コネクタ３００の内部に入れられた場合には、磁石３１０が磁石１０８と整列されるように、雌型終端コネクタ３００の上部３０６に、磁石３１０が配置されなければならない。
【００２１】
図４は、図３に示される雌型終端コネクタ３００の、側面図を示している。ベース３０４、斜面３０８および上部３０６が、示されている。さらに開口３０２が、雌型終端コネクタ３００に貫通孔を提供するために、上部３０６の下から延伸することが示されている。磁石３１０が同様に、雌型終端コネクタ３００内に示されている。
【００２２】
雌型終端コネクタ３００はまた、斜面３０８と上部３０６により形成される、キャビティ４００を含んでいる。斜面３０８は、キャビティ４００を形成するために、ベース３０４のより狭い側の周囲から上部３０６へ、延伸している。開口３０２とキャビティ４００は、ベース３０４が取り囲む、雌型終端コネクタ３００の底面沿いに、開放領域を提供するために、つながっている。このように、突部１０７、斜面１１６およびうね部１１４は、キャビティ４００内にはめ合わされる。雄型終端コネクタ１０６は、雌型終端コネクタ３００内部に固定される。さらにキャビティ４００は、磁石１０８および３１０が互いに整列できる大きさである。雌型終端コネクタ３００は、各々のコネクタの各部分が結合できるように、雄型終端コネクタ１０６の周囲を取り囲む大きさに、形成されている。
【００２３】
コネクタ１０６および３００による、物理的なはめ合わせが提供される一方で、磁石１０８および３１０の間の相互作用の結果として、本発明は二つのコネクタを磁気的に互いに保持する。本発明の磁気力は、コネクタ１０６および３００の分離を防止するのみならず、壊れたり、すり減ったり、断ち切れたりする、プラスチックのコネクタ、掛けがね等の他の用具の必要性も不要にする。
【００２４】
このように、雄型終端コネクタ１０６が、雌型終端コネクタ３００と固定された場合には、図１に示される紐１０２および１０４のような紐は、適所に保持される。さらに、紐１０２および１０４の終端は、ほぐれたり、ほどけたりすることがない。紐１０２および１０４は、動作中はなにものかに固着されるように、またははずれたりしないように、ゆるむことがない。例えば、ビンディング用の紐の、紐の終端は、それらの紐を固定するために、紐の終端のアセンブリー内部に配置される。コネクタ１０６および３００により提供される磁気的な結合は、それらの紐をゆるませない。
【００２５】
図５は、ビンディング５００に取り付けられた、紐の終端のアセンブリー５１８を示す。ビンディング５００は、ビンディング部５０２、かかと部５０６およびソール５０４を含んでいる。二つの部分５０２および５０６は、ソール５０４と共に、互いに縫い合わせられる。好ましくはビンディング５００は、スポーツ活動用、特にウェイクボード活動用に作られたビンディングである。ビンディング５００は、ユーザーがビンディング５００を使用している際に、ボードまたはその他の用具に取り付けられる。
【００２６】
紐の終端のアセンブリー５１８は、紐１０２および１０４のゆるんだ終端を固定する。以上に開示されているように、紐１０２および１０４は、ユーザーの足の上にビンディング５００を保持するために、互いに結ばれている。紐の終端のアセンブリー５１８は、互いに磁気的に結合された、雌型終端コネクタ３００と雄型終端コネクタ１０６を含んでいる。以上に開示された、磁石１０８および３１０のような磁石は、これらのコネクタを互いに固定する。ベース３０４は、雄型終端コネクタ１０６を着座させるために、雌型終端コネクタ３００から延在する。言いかえれば、雄型終端コネクタ１０６は、ベース３０４により定義される領域内部、および雌型終端コネクタ３００により定義されるキャビティ内部に、着座する。
【００２７】
紐の終端のアセンブリー５１８は、織物５２０によりビンディング部５０２に取り付けられる。織物５２０は、ビンディング部５０２と、互いに縫い合わせられる。ベース３０４は、紐の終端のアセンブリー５１８を適所に保持するために、織物５２０に固定されている。
【００２８】
図５に示されるように、雌型終端コネクタ３００と雄型終端コネクタ１０６は、線５３２により切り離されて、分離される。切り離された場合には、雄型終端コネクタ１０６は、ビンディング５００とは接触しているべきではなく、ベース３０４には着座していない。織物５２０上の、ベース３０４により定義される穴に、雄型終端コネクタ１０６を単に押すのみで、雄型終端コネクタ１０６は雌型終端コネクタ３００から切り離される。雄型終端コネクタ１０６は次に、紐１０２および１０４をビンディングからとり外すために、雌型終端コネクタ３００から引き抜かれる。
【００２９】
紐１０２および１０４は、開口２０５を通して、依然としてそれらの終端を、雄型終端コネクタ１０６により取り囲まれている。雄型終端コネクタ１０６はまた、紐１０２および１０４の終端をはめ合わせる、キャビティを含んでいる。あるユーザーが、紐１０２および１０４から、雄型終端アセンブリー１０６を取り外そうとした場合には、各々の紐が開口２０５を経由して取り除かれることができるように、雄型終端コネクタ１０６内の結ばれた終端は、結び目をほどかれる。
【００３０】
以上の記載に従って、本発明はまた、ウェイクボードのビンディングのような、ビンディングにおける紐の固定の方法を提供する。この方法は、紐をゆるませたくない、ビンディングの使用者により、使用されることができる。上記の図１−５を参照すると、この方法は、紐１０２および１０４のような一対の紐を、紐の終端のアセンブリー５１８の、雄型終端コネクタ１０６の開口２０５を通して、通過させることを含んでいる。この方法はまた、上記の結び合わされた終端２０２により示されるように、一対の紐１０２および１０４の終端を、結び合わせることを含んでいる。雄型終端コネクタ１０６は、結び合わされた終端２０２を保持するための、キャビティ２０６を含んでいる。この方法はまた、結び合わされた終端２０２を適所に保持するために、ビンディング５００に搭載された雌型終端コネクタ３００に、雄型終端コネクタ１０６を磁気的に連結させることを含んでいる。
【００３１】
紐の終端のアセンブリー５１８の全体の形状と同様に、雄型終端コネクタ１０６および雌型終端コネクタ３００の形状が、以上に示されているにもかかわらず、本発明の実施形態はそれに限定されることはない。それらのコネクタが互いに結合されることができる限り、雄型終端コネクタおよび雌型終端コネクタは、任意の形状を取りうる、相互に補完的な形状を有する。さらに、それらのコネクタ内部のキャビティは、任意の形状と大きさであってよく、上記に開示されたキャビティに限定されることはない。磁石の配列もまた、紐の終端のアセンブリーの中央にあるように限定されることはない。磁石が互いに整列することができるような、それぞれのコネクタ内部に、磁石は配置されてよい。同様に、紐の終端のアセンブリーが接続された場合に、磁石が互いに整列される限り、コネクタとキャビティは、任意の形状および大きさであってよい。
【００３２】
さらに本発明は、当業者に周知の任意の方法で、雄型終端コネクタおよび雌型終端コネクタに、磁石を組み込んでよい。図１−５は、それらの磁石がオーバーモールディングにより、コネクタ内に配置されることを開示している。本発明の実施形態は、それに限定されることはない。磁石は任意の方法で、コネクタの一部に形成されることができる。例えば代替案は、磁石をコネクタに糊付けすることであってもよい。本発明はまた、磁石の型式または形状に関して、いかなる特定の構成にも限定されることはない。
【００３３】
上記の実施形態では、紐の終端が保持の目的のために、雄型コネクタのキャビティ内で結び合わされているにもかかわらず、紐の終端がそれによりビンディングに固定されうるように、それらがコネクタ内に保持される限り、任意の既知の方法で、紐の終端は雄型コネクタに固定されることができる。例えば雄型コネクタは、紐の終端と係合して、それらを雄型コネクタに保持する、ばねクリップを有することができる。他の例として、雄型コネクタは、紐の終端が保持の目的のために結び合わされる、輪を有することができる。
【００３４】
上記の実施形態では、一対のコネクタが示されているにもかかわらず、ビンディングの各々の側の一つが、二組の紐の対を収容している二対のコネクタを、ビンディングが有することもできる。
【００３５】
本発明の精神または範囲を逸脱することなく、本発明の変更および修正がなされうることが、当業者にはあきらかであろう。このように、以上に開示された主題の変更および修正が、請求項の範囲とそれらの均等に入るとの条件のもとに、本発明がそれらの変更と修正を含むことが、意図されている。
【図面の簡単な説明】
【００３６】
【図１】開示された実施形態に従う、紐の終端のアセンブリーの雄型終端コネクタを示す図である。
【図２】図１の雄型終端コネクタの、底面図である。
【図３】開示された実施形態に従う、紐の終端のアセンブリーの雌型終端コネクタを示す図である。
【図４】図３の雌型終端コネクタの、側面図である。
【図５】開示された実施形態に従う、ビンディングに取り付けられた、紐の終端のアセンブリーを示す図である。
【図１】
2007007404.tif 000003
【図２】
2007007404.tif 000004
【図３】
2007007404.tif 000005
【図４】
2007007404.tif 000006
【図５】
2007007404.tif 000007
【外国語明細書】
2007007404000001.pdf